(57)【要約】【課題】汎用性の向上を図るとともに作業および保管に要する占有空間を小さくすること。【解決手段】変圧器移動装置１００は、任意の台車１０３が備えた台座１０４に対して着脱可能であって、台座１０４の形状に応じた形状からなる土台１０１と、土台１０１に取り付けられて、台座１０４に取り付けられた土台１０１から鉛直方向に突出する吊り上げ棒１０２と、吊り上げ棒１０２を鉛直方向に平行な軸心を中心として回転させる回転機構と、吊り上げ対象とする変圧器が備えたハンガ座に係合可能であって吊り上げ棒１０２に設けられたフック１１３と、フック１１３を、鉛直方向に沿って往復摺動させるスライド機構と、を備えた。【選択図】図１
2009255698.tif 000002
【特許請求の範囲】
【請求項１】
任意の台車が備えた台座に対して着脱可能であって、前記台座の形状に応じた形状からなる土台部材と、
前記土台部材に取り付けられて、前記台座に取り付けられた前記土台部材から鉛直方向に突出する支柱部材と、
前記支柱部材を前記鉛直方向に平行な軸心を中心として回転させる回転機構と、
吊り上げ対象とする変圧器が備えた被係合部に係合可能であって前記支柱部材に設けられたフック部材と、
前記フック部材を、前記鉛直方向に沿って往復摺動させるフック摺動機構と、
を備えたことを特徴とする変圧器移動装置。
【請求項２】
前記支柱部材は、前記土台部材に対して着脱可能であって、
前記回転機構および前記フック摺動機構は、前記支柱部材に設けられていることを特徴とする請求項１に記載の変圧器移動装置。
【請求項３】
前記フック部材は、前記支柱部材に複数設けられており、少なくとも一つのフック部材は前記鉛直方向に変位可能とされていることを特徴とする請求項１または２に記載の変圧器移動装置。
【請求項４】
前記フック部材は、前記支柱部材に複数設けられており、すべてのフック部材は前記鉛直方向に変位可能とされていることを特徴とする請求項１または２に記載の変圧器移動装置。
【請求項５】
前記フック摺動機構は、複数の前記フック部材の鉛直方向における間隔を一定にした状態で前記フック部材を往復摺動させることを特徴とする請求項３または４に記載の変圧器移動装置。
【発明の詳細な説明】
【技術分野】
【０００１】
この発明は、任意の場所間における変圧器の移動に用いる変圧器移動装置に関する。
【背景技術】
【０００２】
従来、マンションなどの集合住宅において用いられる比較的重量が大きい変圧器を移動する際の人約低減を図るために、前後部にそれぞれ一対のキャスタを有する平面略方形枠状の台車フレームの底部に変圧器を載置する一対の受台を設け、その受台上に載置した変圧器を上下動させるジャッキを上記台車フレームに備えたことを特徴とする変圧器搬送台車があった（たとえば、下記特許文献１を参照。）。
【０００３】
【特許文献１】特開２００５−０２９１０５号公報
【発明の開示】
【発明が解決しようとする課題】
【０００４】
しかしながら、上述した特許文献１に記載の技術では、比較的重量の大きい変圧器を運搬対象としており、搬送対象とする変圧器の重量に耐えうる専用の台車を作成しなければならず汎用性が低いという問題があった。また、上述した特許文献１に記載の技術では、台車自体が大型化するため、変圧器以外にも台車の移動に要する領域を含む広い作業空間が必要となったり、非使用時においても台車の保管空間を確保しなければならなかったりするという問題があった。
【０００５】
この発明は、上述した従来技術による問題点を解消するため、汎用性の向上を図るとともに作業および保管に要する占有空間を小さくすることができる変圧器移動装置を提供することを目的とする。
【課題を解決するための手段】
【０００６】
上述した課題を解決し、目的を達成するため、この発明にかかる変圧器移動装置は、任意の台車が備えた台座に対して着脱可能であって、前記台座の形状に応じた形状からなる土台部材と、前記土台部材に取り付けられて、前記台座に取り付けられた前記土台部材から鉛直方向に突出する支柱部材と、前記支柱部材を前記鉛直方向に平行な軸心を中心として回転させる回転機構と、吊り上げ対象とする変圧器が備えた被係合部に係合可能であって前記支柱部材に設けられたフック部材と、前記フック部材を、前記鉛直方向に沿って往復摺動させるフック摺動機構と、を備えたことを特徴とする。
【０００７】
この発明によれば、市販品など既存の汎用的な台車を利用して、特定の変圧器に限定することなく多種の変圧器を移動することができる。また、この発明によれば、変圧器移動装置の大きさを市販品など既存の汎用的な台車に取り付け可能な大きさとすることができ、非使用時には変圧器移動装置を台車から分離することができる。
【０００８】
また、この発明にかかる変圧器移動装置は、上記の発明において、前記支柱部材が、前記土台部材に対して着脱可能であって、前記回転機構および前記フック摺動機構が、前記支柱部材に設けられていることを特徴とする。この発明によれば、変圧器移動装置の非使用時には、台車から台座を取り外すとともに台座と支柱部材とを分離することができる。
【０００９】
また、この発明にかかる変圧器移動装置は、上記の発明において、前記フック部材が、前記支柱部材に複数設けられており、少なくとも一つのフック部材が前記鉛直方向に変位可能とされていることを特徴とする。この発明によれば、一つのフック部材が鉛直方向に変位することにより、当該一つのフック部材と別のフック部材との鉛直方向における間隔を調整することができる。
【００１０】
また、この発明にかかる変圧器移動装置は、上記の発明において、前記フック部材が、前記支柱部材に複数設けられており、すべてのフック部材が前記鉛直方向に変位可能とされていることを特徴とする。この発明によれば、移動対象とする変圧器におけるハンガ座の位置やハンガ座間の鉛直方向における間隔などに応じて、フック部材どうしの鉛直方向における間隔を高い自由度をもって調整することができる。
【００１１】
また、この発明にかかる変圧器移動装置は、上記の発明において、前記フック摺動機構が、複数の前記フック部材の鉛直方向における間隔を一定にした状態で前記フック部材を往復摺動させることを特徴とする。この発明によれば、変圧器の移動に際して、変圧器を持ち上げる際に変圧器の重量を複数のフック部材に均等に分散させた状態を維持したまま、設置場所から台車の上あるいは台車の上から設置場所へ変圧器を移動することができる。
【発明の効果】
【００１２】
この発明にかかる変圧器移動装置によれば、変圧器移動装置の大きさを市販品など既存の汎用的な台車に取り付け可能な大きさとすることができ、非使用時には変圧器移動装置を台車から分離することができる。これによって、汎用性の向上を図るとともに作業および保管に際して変圧器移動装置が占有する空間を小さくすることができるという効果を奏する。
【００１３】
また、この発明にかかる変圧器移動装置によれば、変圧器移動装置の大きさを市販品など既存の汎用的な台車に取り付け可能な大きさとすることができるので、変圧器の積み降ろしおよび変圧器の移動を少人数でおこなうことができる。さらに、この発明にかかる変圧器移動装置によれば、非使用時には変圧器移動装置を台車から分離することができるので、変圧器移動装置を複数の台車で共用することができる。
【発明を実施するための最良の形態】
【００１４】
以下に添付図面を参照して、この発明にかかる実施の形態の変圧器移動装置の好適な実施の形態を詳細に説明する。
【００１５】
図１はこの発明にかかる実施の形態の変圧器移動装置の外観を示す説明図であり、図２は図１の変圧器移動装置の分解斜視図である。図１および図２において、この発明にかかる実施の形態の変圧器移動装置１００は、土台部材としての土台１０１と、支柱部材としての吊り上げ棒１０２と、を備えている。土台１０１は、略コの字形状とされた平板形状からなる。土台１０１は、任意の台車１０３が備えた台座１０４に対して着脱可能とされている。土台１０１は、土台１０１の板圧方向が鉛直方向となるようにして台座１０４に取り付けられる。
【００１６】
台車１０３は、搬送対象とする変圧器（ハンガ座付変圧器）２００を載置する台座１０４と、台座１０４に設けられた車輪１０５とを備えている。また、台車１０３は、持ち手１０６を備えている。持ち手１０６は、たとえば台座１０４に載置された変圧器２００を運搬する際に、変圧器２００の運搬作業者などによって把持される。台車１０３は、市販されている台車１０３を用いることが可能である。
【００１７】
土台１０１は、台座１０４において持ち手１０６が取り付けられている辺を真ん中として台座１０４の３辺を囲むような状態で、台座１０４に取り付けられる。土台１０１は略コの字形状に限るものではなく、台座１０４の形状に応じた形状からなるものであればよい。
【００１８】
土台１０１は台座１０４に安定して取り付けられる大きさおよび形状であればよい。また、土台１０１は、台座１０４に対する固定手段を設けることにより、台座１０４の周囲において台座１０４の面積を拡張するようにして、台座１０４に取り付けられるものであってもよい。
【００１９】
土台１０１は、土台１０１の表面（上面）から鉛直方向に沿って凹んだ凹部２０１を備えている。凹部２０１は、土台１０１の表面から円形に凹んだ形状からなる。凹部２０１の形状は円形に限るものではなく、三角形や四角形など多角形状であってもよい。また、凹部２０１は土台１０１の表面から凹んだ形状に限らず、土台１０１を土台１０１の板圧方向（鉛直方向）に貫通した形状からなるものであってもよい。
【００２０】
吊り上げ棒１０２は、略円柱形状からなる支柱１０８を備えている。吊り上げ棒１０２は、支柱１０８の一端部を土台１０１に設けられた凹部２０１に挿入することによって土台１０１に支持される。吊り上げ棒１０２は、支柱１０８の軸芯方向が鉛直方向と平行になるようにして土台１０１に取り付けられる。支柱１０８において凹部２０１に挿入される部分の外径寸法は、凹部２０１の内径寸法より若干小さい。支柱１０８において凹部２０１に挿入される部分の形状は、凹部２０１の形状と同じであり、三角形や四角形など多角形状であってもよい。
【００２１】
凹部２０１および支柱１０８において凹部２０１に挿入される部分の形状が円形である場合、凹部２０１の内周面にねじ山を設け、支柱１０８において凹部２０１に挿入される部分に凹部２０１に設けられたねじ山と同ピッチのねじ山を設け、支柱１０８において凹部２０１に挿入される部分に設けられたねじ山を凹部２０１に設けられたねじ山に螺合させることによって吊り上げ棒１０２を土台１０１に固定するようにしてもよい。
【００２２】
吊り上げ棒１０２を土台１０１に固定する方法としては、土台１０１に凹部を設けるものに限らない。吊り上げ棒１０２を土台１０１に固定する方法としては、たとえば、土台１０１に突起部を設け、この突起部が吊り上げ棒１０２の一端側を突き刺すようにして吊り上げ棒１０２を土台１０１に固定するようにしてもよい。
【００２３】
支柱１０８は、径の異なる２つの円筒状の部材（以下、「円筒部材」という）を、互いの軸芯方向に重ね合わせることによって構成されている。すなわち、支柱１０８は、２つの円筒部材のうち、径の大きい方の円筒部材１０９の内周に、径の小さい方の円筒部材１１０を挿入することによって構成されている。２つの円筒部材１０９、１１０は、互いの軸芯方向に沿って、支柱１０８全体の長さを長くしたり短くしたりする方向に相対的にスライド可能とされている。また、２つの円筒部材１０９、１１０は、互いの軸芯を中心として相対的に回転可能とされている。
【００２４】
吊り上げ棒１０２は、２つの円筒部材１０９、１１０を相対的にスライドさせるフック摺動機構としてのスライド機構を備えている。スライド機構は、支柱１０８に設けられたスライド用ハンドル１１１を備えており、スライド用ハンドル１１１の回転に応じて２つの円筒部材１０９、１１０を相対的にスライドさせる。
【００２５】
スライド用ハンドル１１１は、支柱１０８の軸芯方向に直交する方向を軸芯方向として回転可能に設けられている。スライド機構は、バレーボールやテニスなどのスポーツに際して使用されるネットを張設する際に使用するサイドポールと同様の構成によって２つの円筒部材１０９、１１０を相対的にスライドさせることが可能である。
【００２６】
スライド機構は、具体的には、たとえば支柱１０８の内周側に設けられたラックアンドピニオン構造によって２つの円筒部材１０９、１１０を相対的にスライドさせることが可能である。この場合、２つの円筒部材１０９、１１０のうち径の小さい方の円筒部材１１０にピニオンを設け、このピニオンに噛み合うラックを径の大きい方の円筒部材１０９の内周面に設ける。ピニオンは、たとえばスライド用ハンドル１１１の回転軸上に設けられ、スライド用ハンドル１１１の回転にともなって回転する。ラックは、軸芯方向を長手方向として設けられる。
【００２７】
また、スライド機構は、具体的には、たとえば支柱１０８の内周側において、スライド用ハンドル１１１の回転軸にワイヤを連結するとともに、支柱１０８全体の長さを長くする方向に２つの円筒部材１０９、１１０を付勢する付勢部材を設け、スライド用ハンドル１１１に連結されたワイヤの巻き取り量に応じて支柱１０８全体の長さを長くしたり短くしたりする構成としてもよい。
【００２８】
このような構成によって２つの円筒部材１０９、１１０を相対的にスライドさせることが可能となる。なお、スライド機構は、上記のラックアンドピニオン構造やワイヤを用いた構造に限るものではない。スライド機構は、２つの円筒部材１０９、１１０を相対的なスライドを可能とする公知の各種技術を用いて実現することができる。２つの円筒部材１０９、１１０の相対的なスライドを可能とする公知の各種技術についての説明は省略する。
【００２９】
吊り上げ棒１０２は、２つの円筒部材１０９、１１０を互いの軸芯を中心として相対的に回転させる回転機構を備えている。回転機構は、支柱１０８の長さ方向において、土台１０１に挿入される側とは反対側の端部に設けられた回転用ハンドル１１２を備えており、回転用ハンドル１１２の回転に応じて２つの円筒部材１０９、１１０を相対的にスライドさせる。
【００３０】
回転機構は、具体的には、たとえば、２つの円筒部材１０９、１１０のうち径の小さい方の円筒部材１１０に、回転中心となる軸を設け、この軸に回転用ハンドル１１２を固定するとともに回転用ハンドル１１２に径の大きい方の円筒部材１０９を固定することによって構成することが可能である。このような構成によって、径の小さい方の円筒部材１１０に設けられた軸を中心として回転用ハンドル１１２を回転させると、回転用ハンドル１１２に固定されている径の大きい方の円筒部材１０９を径の小さい方の円筒部材１１０に対して相対的に回転させることが可能となる。
【００３１】
２つの円筒部材１０９、１１０のうち、径の大きい方の円筒部材１０９には、フック部材としてのフック１１３が設けられている。フック１１３は、径の大きい方の円筒部材１０９の外周面から、径の大きい方の円筒部材１０９の半径方向に突出している。フック１１３の先端は、鉛直方向上側に屈曲している。フック１１３は、鉛直方向に沿って複数（この実施の形態においては２つ）設けられている。
【００３２】
２つのフック１１３のうち少なくとも一方のフック１１３は、径の大きい方の円筒部材１０９に対して着脱可能とされている。フック１１３を着脱可能とする構成としては、具体的には、たとえば、径の大きい方の円筒部材１０９に孔を設け、この孔に対して抜き差し自在にフック１１３を挿入する構成によって実現することが可能である。
【００３３】
着脱可能とするフック１１３は、たとえば鉛直方向において下側に位置するフック１１３とする。また、着脱可能とするフック１１３は、たとえば鉛直方向において上側に位置するフック１１３としてもよい。着脱可能とするフック１１３は、２つのフック１１３のうち一方のフック１１３に限らず、２つとも着脱可能としてもよい。この実施の形態においては、２つのフック１１３は、いずれも着脱可能に設けられている。
【００３４】
２つのフック１１３の鉛直方向における距離は、調整可能とされている。上記の構成によって取り付けられるフック１１３であれば、径の大きい方の円筒部材１０９においては、鉛直方向に沿って複数の孔を設ける。この構成により、フック１１３を挿入する孔の位置を変えることによって、２つのフック１１３の鉛直方向における距離を調整することができる。この場合、２つのフック１１３の鉛直方向における距離を、鉛直方向における孔と孔との間隔に応じて段階的に調整することができる。
【００３５】
フック１１３の鉛直方向における位置は、無段階で調整可能な構成としてもよい。この場合、２つのフック１１３の鉛直方向における距離あるいは土台１０１の表面（上面）からの距離を、無段階に調整することができる。フック１１３の鉛直方向における位置を無段階で調整する機構については、公知の技術を用いて容易に実現可能であり、説明を省略する。
【００３６】
なお、フック１１３の取り付けにかかる構成、および、２つのフック１１３の鉛直方向における距離を調整可能とする構成については上記の構成に限るものではなく、公知の各種技術を用いて実現することが可能である。なお、フック１１３の取り付けおよび２つのフック１１３の鉛直方向における距離を調整可能とする構成を実現する公知の各種技術についての説明を省略する。
【００３７】
図３は、変圧器２００の種類を示す説明図である。図３においては、変圧器移動装置１００が吊り上げ対象とする複数種類の変圧器（ハンガ座付変圧器）２００を示している。変圧器２００は、略円柱形状の本体部３０１を備えている。本体部３０１の直径（図３における符号ＸＴを参照）や重量は、変圧器２００の種類に応じて異なっている。体部の中心と２つのハンガ座３０２対がなす角度（図３における符号θを参照）は、変圧器２００の種類に応じて異なっている。
【００３８】
変圧器２００の外周面には、被係合部としてのハンガ座３０２が設けられている。ハンガ座３０２は、鉛直方向に沿って同一直線上に設けられた２つのハンガ座３０２によってハンガ座３０２対を構成している。この実施の形態の変圧器移動装置１００は変圧器２００を吊り上げ対象としており、変圧器２００の運搬に際して上述したフック１１３はハンガ座３０２に係合する。
【００３９】
ハンガ座３０２対は、変圧器２００ごとに複数（図３の例では２つ）設けられている。各ハンガ座３０２対を構成する２つのハンガ座３０２間の距離（図３における符号Ａを参照）は、変圧器２００の種類に応じて異なっている。各ハンガ座３０２対を構成する２つのハンガ座３０２のうち、鉛直方向下側のハンガ座３０２から変圧器２００の最下面（接地面）までの距離は、変圧器２００の種類に応じて異なっている。なお、変圧器２００のその他の構成については、公知の技術であるため説明を省略する。
【００４０】
つぎに、変圧器２００の運搬手順について説明する。ここでは、変圧器２００の移動手順のうち、変圧器２００を変圧器移動装置１００を搭載した台車１０３に乗せる手順について説明する。変圧器２００を台車１０３に乗せる作業者は、まず変圧器移動装置１００と変圧器移動装置１００が取り付けられる台車１０３とを、変圧器２００が保管してある場所に移動する。そして、移動した変圧器移動装置１００および台車１０３のうち、台車１０３を運搬対象とする変圧器２００の隣に位置付ける。
【００４１】
この時、変圧器移動装置１００は、台車１０３から分離した状態であって、かつ、土台１０１と吊り上げ棒１０２とを分解した状態とする。これによって、変圧器２００を運搬可能な機構を一体的に備えた台車１０３を移動する場合と比較して、変圧器移動装置１００および台車１０３の移動を容易化することができる。
【００４２】
つぎに、運搬対象とする変圧器２００の種類（大きさ、重量など）に見合う土台１０１を選択し、選択した土台１０１を台車１０３に取り付ける。図４は、変圧器２００の運搬手順を示す説明図である。図４においては、土台１０１を台車１０３に取り付けた状態を上方から見た状態を示している。
【００４３】
その後、取り付けた土台１０１に吊り上げ棒１０２を取り付け、フック１１３の位置を調整する。フック１１３の位置調整に際しては、鉛直方向において対をなす２つのフック１１３を、それぞれ該当するハンガ座３０２の高さに合わせた位置に取り付ける。ここでは、２つのフック１１３を、それぞれ該当するハンガ座３０２よりも若干低い位置に取り付ける。
【００４４】
そして、２つのフック１１３をそれぞれ該当するハンガ座３０２の下に位置付けた状態で、径の大きい方の円筒部材１０９が鉛直方向における上方向に移動するように、スライド用ハンドル１１１を回転させる。これによって、フック１１３が鉛直方向における上方向に移動し、移動しながらハンガ座３０２に係合する。
【００４５】
フック１１３がハンガ座３０２に係合した後もさらにスライド用ハンドル１１１を回転させると、変圧器２００が設置位置から浮き上がる。スライド用ハンドル１１１は、浮き上がった変圧器２００の最下面が、台座１０４に取り付けられた土台１０１の表面（上面）よりも高くなるまで回転させる。このとき、フック１１３は、フック１１３の鉛直方向における間隔を一定にした状態で往復摺動する。
【００４６】
変圧器２００の最下面が土台１０１の表面（上面）よりも高くなった場合は、回転用ハンドル１１２を回転させる。回転用ハンドル１１２は、吊り上げた変圧器２００が台座１０４の上側に移動する方向に回転させる。回転用ハンドル１１２の回転方向は、運搬対象とする変圧器２００に対する台車１０３の位置によって異なる。
【００４７】
回転用ハンドル１１２の回転によって、吊り上げた変圧器２００が台座１０４の上側に移動した場合、径の大きい方の円筒部材１０９が鉛直方向における下方向に移動するように、スライド用ハンドル１１１を回転させる。これによって、フック１１３が鉛直方向における下方向に移動し、変圧器２００が台座１０４に設置される。この状態で、運搬作業者が持ち手１０６を把持して台車１０３を押すことによって、車輪１０５を回転させ、変圧器２００を任意の場所に移動することができる。
【００４８】
つぎに、変圧器２００の移動手順のうち、変圧器移動装置１００を搭載した台車１０３に乗せられた変圧器２００を、所定の変圧器室などへ運搬して設置する手順について説明する。ここでは、台車１０３に乗せられた変圧器２００を、２０ｃｍ〜３０ｃｍ程度の段差部における高い方の段に設置する場合について説明する。
【００４９】
変圧器２００を設置する作業者は、まず変圧器２００が乗せられた台車１０３を、段差がある場所の直近位置に移動する。そして、移動対象とする変圧器２００の種類（大きさ、重量など）に見合う土台１０１を選択し、選択した土台１０１を台車１０３に取り付ける。その後、取り付けた土台１０１に吊り上げ棒１０２を取り付け、フック１１３の位置を調整する。フック１１３の位置調整に際しては、鉛直方向において対をなす２つのフック１１３を、それぞれ該当するハンガ座３０２の高さに合わせた位置に取り付ける。ここでは、２つのフック１１３を、それぞれ該当するハンガ座３０２よりも若干低い位置に取り付ける。
【００５０】
そして、２つのフック１１３をそれぞれ該当するハンガ座３０２の下に位置付けた状態で、径の大きい方の円筒部材１０９が鉛直方向における上方向に移動するように、スライド用ハンドル１１１を回転させる。これによって、フック１１３が鉛直方向における上方向に移動し、移動しながらハンガ座３０２に係合する。
【００５１】
フック１１３がハンガ座３０２に係合した後もさらにスライド用ハンドル１１１を回転させると、変圧器２００が台座１０４から浮き上がる。スライド用ハンドル１１１は、浮き上がった変圧器２００の最下面が、段差部における高い方の段よりも高くなるまで回転させる。
【００５２】
変圧器２００の最下面が段差部における高い方の段よりも高くなった場合は、回転用ハンドル１１２を回転させる。このとき、回転用ハンドル１１２は、吊り上げた変圧器２００が段差部における高い方の段の上側に移動する方向に回転させる。また、このとき、回転用ハンドル１１２は、変圧器２００を台車１０３に乗せる際とは逆方向に回転させる。回転用ハンドル１１２の回転方向は、運搬対象とする変圧器２００に対する台車１０３の位置によって異なる。
【００５３】
回転用ハンドル１１２の回転によって、吊り上げた変圧器２００が段差部における高い方の段の上側に移動した場合、径の大きい方の円筒部材１０９が鉛直方向における下方向に移動するように、スライド用ハンドル１１１を回転させる。このとき、スライド用ハンドル１１１は、変圧器２００を台車１０３に乗せる際とは逆方向に回転させる。
【００５４】
これによって、フック１１３が鉛直方向における下方向に移動し、変圧器２００が段差部における高い方の段に設置される。このように、この実施の形態の変圧器移動装置１００は、変圧器２００の設置面と台座１０４との間に段差がある場合にも、変圧器２００を移動することができる。
【００５５】
設置後は、土台１０１から吊り上げ棒１０２を取り外し、台座１０４から土台１０１を取り外す。このように、吊り上げ棒１０２および土台１０１を台車１０３から分解して取り外すことにより、変圧器の設置後は取り外した吊り上げ棒１０２および土台１０１を台車１０３に乗せて運搬することができる。
【００５６】
上述したように、この発明にかかる実施の形態の変圧器移動装置１００によれば、任意の台車１０３が備えた台座１０４に対して着脱可能であって、台座１０４の形状に応じた形状からなる土台１０１と、土台１０１に取り付けられて、台座１０４に取り付けられた土台１０１から鉛直方向に突出する支柱１０８と、支柱１０８を鉛直方向に平行な軸心を中心として回転させる回転機構と、吊り上げ対象とする変圧器２００が備えた被係合部に係合可能であって支柱１０８に設けられたフック１１３と、フック１１３を、鉛直方向に沿って往復摺動させるフック摺動機構と、を備えたことを特徴とするため、市販品など既存の汎用的な台車１０３を利用して、特定の変圧器２００に限定することなく多種の変圧器２００の移動に用いることができる。また、この発明によれば、変圧器移動装置１００の大きさを市販品など既存の汎用的な台車１０３に取り付け可能な大きさとすることができ、非使用時には変圧器移動装置１００を台車１０３から分離することができる。これによって、汎用性の向上を図るとともに作業および保管に際して変圧器移動装置１００が占有する空間を小さくすることができる。
【００５７】
また、この発明にかかる実施の形態の変圧器移動装置１００によれば、支柱１０８が、土台１０１に対して着脱可能であって、回転機構およびフック摺動機構が、支柱１０８に設けられていることを特徴とするため、変圧器移動装置１００の非使用時には、台車１０３から台座１０４を取り外すとともに台座１０４と支柱１０８とを分離することができる。これによって、保管に際して変圧器移動装置１００が占有する空間を小さくすることができる。また、これによって、変圧器移動装置１００を複数の台車１０３で共用することができる。
【００５８】
また、この発明にかかる実施の形態の変圧器移動装置１００によれば、フック１１３は、支柱１０８に複数設けられており、少なくとも一つのフック１１３は鉛直方向に変位可能とされていることを特徴とするため、一つのフック１１３が鉛直方向に変位することにより、当該一つのフック１１３と別のフック１１３との鉛直方向における間隔を調整することができる。これによって、鉛直方向におけるハンガ座３０２の間隔が異なる複数種類の変圧器２００を移動することができる。
【００５９】
また、この発明にかかる変圧器移動装置１００において、支柱１０８に複数設けられたすべてのフック１１３が鉛直方向に変位可能としてもよく、この場合は移動対象とする変圧器２００におけるハンガ座３０２の位置やハンガ座３０２間の鉛直方向における間隔などに応じて、フック１１３どうしの鉛直方向における間隔を高い自由度をもって調整することができる。これによって、変圧器移動装置１００を複数の台車１０３で共用する際の共用性を高めることができる。
【００６０】
また、この発明にかかる実施の形態の変圧器移動装置１００によれば、フック摺動機構が、複数のフック１１３の鉛直方向における間隔を一定にした状態でフック１１３を往復摺動させることを特徴とするため、変圧器２００の移動に際して、変圧器２００を持ち上げる際に変圧器の重量を複数のフック１１３に均等に分散させた状態を維持したまま、設置場所から台車１０３（台座１０４）の上、あるいは、台車１０３（台座１０４）の上から設置場所へ変圧器２００を移動することができる。これによって、変圧器２００の移動作業を安定しておこなうことができる。
【００６１】
以上説明したように、変圧器移動装置１００によれば、汎用性の向上を図るとともに、変圧器２００の移動にかかる作業や、非使用時における変圧器移動装置１００の保管に際して変圧器移動装置１００が占有する空間を小さくすることができる。
【産業上の利用可能性】
【００６２】
以上のように、この発明にかかる変圧器移動装置は、変圧器の移動に用いる変圧器移動装置に有用であり、特に、ハンガ座３０２を備えた変圧器の移動に用いる変圧器移動装置に適している。
【図面の簡単な説明】
【００６３】
【図１】この発明にかかる実施の形態の変圧器移動装置の外観を示す説明図である。
【図２】図１の変圧器移動装置の分解斜視図である。
【図３】変圧器の種類を示す説明図である。
【図４】変圧器の運搬手順を示す説明図である。
【符号の説明】
【００６４】
１００  変圧器移動装置
１０１  土台
１０２  吊り上げ棒
１０３  台車
１０４  台座
１０８  支柱
１０９、１１０  円筒部材
１１１  スライド用ハンドル
１１２  回転用ハンドル
１１３  フック
２００  変圧器
２０１  凹部
３０２  ハンガ座
【図１】
2009255698.tif 000003
【図２】
2009255698.tif 000004
【図３】
2009255698.tif 000005
【図４】
2009255698.tif 000006